(57)【要約】【課題】基板に光コネクタを固定する際に光コネクタを精度よく位置決めでき、しかも光コネクタの小型化が可能な光コネクタの固定構造の提供。【解決手段】光ファイバ５の先端部５ａに組み立てられた光コネクタ４を、先端部５ａの光軸方向に対し傾斜した光軸をもつ光入出端が設けられた基板１、２に、コネクタホルダ３によって固定する構造。光コネクタ４の両側部４１ａには、外側方に突出する突出部４３が形成されている。コネクタホルダ３は、光コネクタ４を両側から押さえ込んで保持する一対の弾性保持部３２、３２を有する。弾性保持部３２は、それぞれ２つの弾性片３４、３４からなる。弾性片３４、３４は間隔をおいて形成され、これらの間に突出部４３が嵌合することによって、光コネクタ４が位置決めされる。【選択図】図１
2008292962.tif 000002
【特許請求の範囲】
【請求項１】
光ファイバ（５）の先端部（５ａ）に組み立てられた光コネクタ（４）を、前記先端部の光軸方向に対し傾斜した光軸をもつ光入出端（６）が設けられた基板（１、２）に、コネクタホルダ（３）によって固定する構造であって、
前記光コネクタが、前記光ファイバの先端部を前記光入出端と光接続させる光軸変更部（４８）を有し、
前記光コネクタの両側部（４１ａ）に、外側方に突出する突出部（４３）が形成され、
前記コネクタホルダが、前記光コネクタを両側から前記基板に向けて押さえ込んで保持する一対の弾性保持部（３２）を有し、
前記弾性保持部が、それぞれ前記光コネクタを押さえ込む複数の弾性片（３４）からなり、これら複数の弾性片が、前記光ファイバの先端部の光軸方向に間隔をおいて形成され、
これら弾性片の間に前記突出部が嵌合することによって、前記光コネクタが前記基板に対して位置決めされて、前記光ファイバが光入出端に光接続されることを特徴とする光コネクタ固定構造。
【請求項２】
前記光コネクタの両側部には、前記基板に対面する装着面（４ａ）に近づくに従って外側方に傾斜した押さえ用傾斜面（４４ａ、４４ｂ）が形成され、
前記弾性片は、前記押さえ用斜面に当接して前記光コネクタを前記基板に押さえ込むコネクタ当接部（３６）を有することを特徴とする請求項１に記載の光コネクタ固定構造。
【請求項３】
前記コネクタ当接部は、前記先端部の光軸方向にわたって前記光コネクタに当接することを特徴とする請求項２に記載の光コネクタ固定構造。
【請求項４】
前記光コネクタの両側部には、前記装着面に近づくに従って内側方に傾斜したガイド用傾斜面（４５ａ、４５ｂ）が形成され、
前記ガイド用傾斜面は、前記光コネクタを前記コネクタホルダに装着する際に前記一対の弾性保持部を外側方に押し広げるように形成されていることを特徴とする請求項１〜３のうちいずれか１項に記載の光コネクタ固定構造。
【請求項５】
前記突出部には、前記光コネクタを前記コネクタホルダから取り外す際に光コネクタ挿抜工具の腕部（６１）の係止片（６２）が挿入可能な係止凹部（４６）が形成されていることを特徴とする請求項１〜４のうちいずれか１項に記載の光コネクタ固定構造。
【請求項６】
光ファイバ（５）の先端部（５ａ）に組み立てられ、前記先端部の光軸方向に対し傾斜した光軸をもつ光入出端（６）が設けられた基板（１、２）に、コネクタホルダ（３）によって固定される光コネクタであって、
前記光ファイバの先端部を前記光入出端と光接続させる光軸変更部（４８）を有し、
前記光コネクタの両側部（４１ａ）に、外側方に突出する突出部（４３）が形成され、
前記コネクタホルダが、前記光コネクタを両側から前記基板に向けて押さえ込んで保持する一対の弾性保持部（３２）を有し、
前記弾性保持部が、それぞれ前記光コネクタを押さえ込む複数の弾性片（３４）からなり、これら複数の弾性片が、前記光ファイバの先端部の光軸方向に間隔をおいて形成され、
これら弾性片の間に前記突出部が嵌合することによって、前記基板に対して位置決めされて、前記光ファイバが光入出端に光接続されることを特徴とする光コネクタ（４）。
【発明の詳細な説明】
【技術分野】
【０００１】
本発明は、光ファイバの先端部に組み立てられた光コネクタを、光入出端が設けられた基板に、前記光ファイバと光入出端が光接続されるように固定する構造、およびこれに用いられる光コネクタに関する。
【背景技術】
【０００２】
光コネクタを固定する技術としては、例えば特許文献１〜４に記載されたものがある。
近年では、発光素子（半導体レーザ等）、受光素子（フォトダイオード等）などの光素子を搭載した基板に、この基板に沿って配線された光ファイバの先端部に組み立てた光コネクタを、前記光素子に光接続されるように固定する方式が広く用いられてきている。
特許文献４には、この種の光コネクタを固定する構造に関する記載がある。この固定構造では、光コネクタを、弾性片を有するコネクタホルダによって基板に押さえつけて固定する。この固定構造では、光コネクタに形成された位置決め凹所に、コネクタホルダのガイド片が挿入されることによって光コネクタの位置決めがなされる。
【特許文献１】特開２００５−１５７１０２号公報
【特許文献２】特開２００６−２３４８５４号公報
【特許文献３】特許第３８１０５９８号公報
【特許文献４】国際公開第２００４／０９７４８０号パンフレット
【発明の開示】
【発明が解決しようとする課題】
【０００３】
しかしながら、上記構造では、光コネクタに位置決め凹所を形成することが必要となるため、光コネクタの小型化が難しいという問題があった。
また、前記光ファイバと光素子を光接続するには、光コネクタを基板上に正確に位置決めする必要がある。
本発明は、上記事情に鑑みてなされたものであって、基板に光コネクタを固定する際に光コネクタを精度よく位置決めでき、しかも光コネクタの小型化が可能な光コネクタの固定構造およびこれに用いられる光コネクタの提供を目的とする。
【課題を解決するための手段】
【０００４】
本発明の請求項１にかかる光コネクタ固定構造は、光ファイバの先端部に組み立てられた光コネクタを、前記先端部の光軸方向に対し傾斜した光軸をもつ光入出端が設けられた基板に、コネクタホルダによって固定する構造であって、前記光コネクタが、前記光ファイバの先端部を前記光入出端と光接続させる光軸変更部を有し、前記光コネクタの両側部に、外側方に突出する突出部が形成され、前記コネクタホルダが、前記光コネクタを両側から前記基板に向けて押さえ込んで保持する一対の弾性保持部を有し、前記弾性保持部が、それぞれ前記光コネクタを押さえ込む複数の弾性片からなり、これら複数の弾性片が、前記光ファイバの先端部の光軸方向に間隔をおいて形成され、これら弾性片の間に前記突出部が嵌合することによって、前記光コネクタが前記基板に対して位置決めされて、前記光ファイバが光入出端に光接続されることを特徴とする。
本発明の請求項２にかかる光コネクタ固定構造は、請求項１において、前記光コネクタの両側部には、前記基板に対面する装着面に近づくに従って外側方に傾斜した押さえ用傾斜面が形成され、前記弾性片は、前記押さえ用斜面に当接して前記光コネクタを前記基板に押さえ込むコネクタ当接部を有することを特徴とする。
本発明の請求項３にかかる光コネクタ固定構造は、請求項２において、前記コネクタ当接部は、前記先端部の光軸方向にわたって前記光コネクタに当接することを特徴とする。
本発明の請求項４にかかる光コネクタ固定構造は、請求項１〜３のうちいずれか１項において、前記光コネクタの両側部には、前記装着面に近づくに従って内側方に傾斜したガイド用傾斜面が形成され、前記ガイド用傾斜面は、前記光コネクタを前記コネクタホルダに装着する際に前記一対の弾性保持部を外側方に押し広げるように形成されていることを特徴とする。
本発明の請求項５にかかる光コネクタ固定構造は、請求項１〜４のうちいずれか１項において、前記突出部に、前記光コネクタを前記コネクタホルダから取り外す際に光コネクタ挿抜工具の腕部の係止片が挿入可能な係止凹部が形成されていることを特徴とする。
【０００５】
本発明の請求項６にかかる光コネクタは、光ファイバの先端部に組み立てられ、前記先端部の光軸方向に対し傾斜した光軸をもつ光入出端が設けられた基板に、コネクタホルダによって固定される光コネクタであって、前記光ファイバの先端部を前記光入出端と光接続させる光軸変更部を有し、前記光コネクタの両側部に、外側方に突出する突出部が形成され、前記コネクタホルダが、前記光コネクタを両側から前記基板に向けて押さえ込んで保持する一対の弾性保持部を有し、前記弾性保持部が、それぞれ前記光コネクタを押さえ込む複数の弾性片からなり、これら複数の弾性片が、前記光ファイバの先端部の光軸方向に間隔をおいて形成され、これら弾性片の間に前記突出部が嵌合することによって、前記基板に対して位置決めされて、前記光ファイバが光入出端に光接続されることを特徴とする。
【発明の効果】
【０００６】
本発明によれば、光コネクタの両側部に突出部が形成され、コネクタホルダの弾性保持部が複数の弾性片からなり、これら弾性片の間に前記突出部が嵌合するので、弾性片によって光コネクタの位置ずれが阻止され、光コネクタは正確に位置決めされる。
さらに、光コネクタの各側部が複数箇所で弾性片に押さえ込まれるため、光コネクタは安定的に基板上に保持される。
従って、光コネクタを正確に位置決めし、十分な光特性（光損失等）を確保して、光ファイバを光入出端に対して確実に光接続することができる。
また、ガイド片が挿入される凹所が光コネクタに形成された従来構造に比べ、光コネクタの小型化が可能となる。
【発明を実施するための最良の形態】
【０００７】
図１および図２は本発明に係る光コネクタの固定構造の一実施形態を示す斜視図である。
この実施形態の光コネクタ固定構造は、光ファイバ５の先端部５ａに組み立てられた光コネクタ４を、回路基板１上の光電変換モジュール２に、コネクタホルダ３によって固定する構造である。
光電変換モジュール２は、光素子（光入出端６）を搭載（あるいは内蔵）したモジュールである。光入出端６としては、半導体レーザ（例えばレーザダイオード：ＬＤ）等の発光素子、あるいは、フォトダイオード（ＰＤ）等の受光素子がある。
光電変換モジュール２の光入出端６の光軸方向は回路基板１に対してほぼ垂直となっている（図５を参照）。光電変換モジュール２は、回路基板１上の駆動回路からの制御信号に基づいて、発光素子（光素子６）を駆動する機能、および／または、受光素子（光素子６）の受光信号に応じた電気信号を回路基板１上の処理回路に伝達する機能を有する。
図示例では、光電変換モジュール２は直方体状に形成され、上面は、光コネクタ４が装着される接合面２ａとなっている。
【０００８】
図５には、光電変換モジュール２の光入出端６が、接合面２ａに形成された構成を例示している。接合面２ａは、回路基板１に沿った方向に延在している。
なお、特に図示はしないが、光電変換モジュールが搭載される回路基板には、光電変換回路、制御処理部、光信号処理回路、光素子駆動回路、その他、回路基板上の電子部品の駆動制御等を行う種々の回路が構成されている。
【０００９】
図３は光コネクタ４を示す図であって（ａ）は平面図、（ｂ）は前面図、（ｃ）は側面図である。図４は光コネクタ４の断面図であり、図５は、図４に仮想線で示す、光コネクタ４の要部を拡大した断面図である。
光コネクタ４は、合成樹脂などからなるコネクタ本体４１と、このコネクタ本体４１の底面側に設けられた透光板４２とを有する。光コネクタ４は、底面が、光電変換モジュール２の接合面２ａに対面する装着面４ａとなっている。
【００１０】
光コネクタ４は、光ファイバ５の先端部５ａに組み立てられる。先端部５ａは、例えば多心光ファイバテープ心線である光ファイバ５の先端に口出しされた単心の光ファイバ心線または光ファイバ素線である。図示例では、先端部５ａは、光ファイバテープ心線である光ファイバ５から口出しされ、光コネクタ４に挿入固定された部分であり、光コネクタ４の装着面４ａに沿って並んで配列されている。先端部５ａは、コネクタ本体４１に形成された溝（例えばＶ字状溝）または挿通孔によって位置決めすることができる。符号５ｂは光ファイバ５を保持するブーツである。
なお、光ファイバ５としては、多心光ファイバテープ心線に限定されず、例えば、単心の光ファイバ心線等、各種構成が採用可能である。
以下の説明において、光ファイバ５の先端部５ａの先端方向を前方といい、その逆方向を後方ということがある。ここでいう前後方向は、光ファイバ５の先端部５ａの光軸方向である。また、装着面４ａ側を下といい、反対の面側（上面４ｂ側）を上ということがある。
【００１１】
図１〜図３に示すように、コネクタ本体４１はブロック状に形成され、両側部４１ａ、４１ａには、外側方に突出する突出部４３、４３が形成されている。側方とは、装着面４ａに沿い、かつ前後方向に対し傾斜する方向（図示例では前後方向に対し垂直な方向）をいう。
図示例の突出部４３は、略直方体状とされ、コネクタ本体４１の前後方向の略中央部に形成されている。突出部４３の前端面４３ａおよび後端面４３ｂは、前後方向に対しほぼ垂直になっている。
【００１２】
突出部４３の下部の角部には、前後方向にわたって断面略Ｌ字形の係止凹部４６を形成するのが好ましい。
係止凹部４６は、光コネクタ挿抜工具６０の腕部６１の先端に形成された係止片６２が挿入できるように形成される（図８および図９を参照）。
【００１３】
コネクタ本体４１の側部４１ａのうち突出部４３の前後の部分には、それぞれ前部押さえ用傾斜面４４ａおよび後部押さえ用傾斜面４４ｂが形成されている。
押さえ用傾斜面４４ａ、４４ｂは、コネクタホルダ３の弾性保持部３２によって押さえつけられる部分であり、装着面４ａに近づく方向（すなわち下方）に行くに従って外側方に傾斜している。
【００１４】
図示例では、押さえ用傾斜面４４ａ、４４ｂは、側部４１ａの前部および後部の上部に形成されており、押さえ用傾斜面４４ａ、４４ｂより下の部分は、ガイド用傾斜面４５ａ、４５ｂとなっている。ガイド用傾斜面４５ａ、４５ｂは、装着面４ａに近づく方向（すなわち下方）に行くに従って内側方に傾斜している。
ガイド用傾斜面４５ａ、４５ｂは、光コネクタ４をコネクタホルダ３に装着する際に、一対の弾性保持部３２、３２を外側方に押し広げることができるように形成することができる。
【００１５】
図４および図５に示すように、コネクタ本体４１の底面には、透光板４２が配置される透光板用凹部４１ｂが形成され、この透光板用凹部４１ｂ内に透光板４２が配置される。
透光板４２は、光コネクタ４の装着面４ａに設けられており、光コネクタ４を光電変換モジュール２上に重ね合わせるようにして設置すると、透光板４２が光電変換モジュール２の接合面２ａに対面して配置される。透光板４２は、ガラス、合成樹脂などからなる。
【００１６】
図５に示すように、コネクタ本体４１の透光板用凹部４１ｂの天面には、凹所４７が形成されている。凹所４７には、光ファイバ５の先端部５ａの光軸延長上に位置して、先端部５ａの先端面に対してわずかなクリアランスを介して対面する内壁面に、金属蒸着膜等からなる反射部４８が形成されている。
図示例の反射部４８は、先端部５ａの光軸の延長線に対して４５度傾斜した反射面をなす。反射部４８は、光コネクタ４を光電変換モジュール２上に固定したときに、光入出端６の上方に位置し、光入出端６の発光面または受光面と対面され、先端部５ａからの出射光を９０度屈曲させて光入出端６に照射したり、光入出端６からの出射光を９０度屈曲させて先端部５ａに入射させる光軸変更部として機能する。
なお、反射部４８の傾斜角度は、先端部５ａと、先端部５ａの光軸方向に対し傾斜した光軸をもつ光入出端６とを光接続できる角度であればよく、図示例には限定されない。
本発明において、光軸変更部は、反射部に限らず、屈折率差を利用して光路の方向を変更するものであってもよい。
【００１７】
反射部４８によって、先端部５ａと光入出端６との間には光路７が形成され、これによって先端部５ａと光入出端６とが光接続されている。
光路７のうち、反射部４８から光入出端６までの部分は、回路基板１の上面に対して傾斜（図示例では直交する方向）している。光路７のこの部分は、透光板４２を通過する。
【００１８】
図６はコネクタホルダ３を示す図であって（ａ）は平面図、（ｂ）は前面図、（ｃ）は側面図である。
コネクタホルダ３は、光ファイバ５の先端部５ａに組み立てられた光コネクタ４を、光電変換モジュール２上にて位置決め保持し、光電変換モジュール２に対して位置ずれしないように押さえ込む機能を果たす。
コネクタホルダ３は、光コネクタ４が載置される平面視矩形の平板状の基部３１と、基部３１の両側縁３１ａ、３１ａから立ち上がる一対の弾性保持部３２、３２と、基部３１の縁部から下方に延出する保持板３３とを備えている。
【００１９】
図１および図２に示すように、コネクタホルダ３は、基部３１の側縁３１ａを前後方向に向けて配置されている。
基部３１には、開口部３１ｃが形成され、開口部３１ｃを通して光電変換モジュール２の光入出端６が露出している。
【００２０】
図６に示すように、保持板３３は、基部３１の両側縁３１ａから下方に延出する側部保持片３３ａ、３３ａと、基部３１の両端縁３１ｂから下方に延出する端部保持片３３ｂ、３３ｂからなる。
側部保持片３３ａおよび端部保持片３３ｂは、それぞれ光電変換モジュール２の側面および端面に沿う板状に形成されている。側部保持片３３ａおよび端部保持片３３ｂの内面は、それぞれ光電変換モジュール２の側面および端面に当接し、これによって、コネクタホルダ３は光電変換モジュール２に対して位置決めされている。
【００２１】
弾性保持部３２、３２は、光コネクタ４を両側から押さえ込むことによって着脱可能に保持するものであって、これらの間は、光コネクタ４が保持されるコネクタ保持空間３５となっている。
弾性保持部３２は、それぞれ２つの弾性片３４、３４からなる。すなわち、弾性保持部３２、３２は、合計４つの弾性片３４によって構成される。
弾性片３４は、光コネクタ４を光電変換モジュール２に押さえ込んで保持するものであって、基部３１の側縁３１ａから立ち上がるように形成された一定幅の舌片状の板状とされ、コネクタ保持空間３５に対し接近および離間する方向に弾性的に曲げ変形できるようになっている。
【００２２】
弾性片３４は、上方に向けて延出する基延出部３４ａと、基延出部３４ａの先端から上方に行くに従って内側方（空間３５側）に迫り出しつつ傾斜して延出する押さえ部３４ｂと、押さえ部３４ｂの先端から上方に行くに従って外側方に傾斜しつつ延出するガイド部３４ｃとを有する。
押さえ部３４ｂは、その先端部であるコネクタ当接部３６において光コネクタ４に当接するように形成されている。コネクタ当接部３６は基部３１の側縁３１ａに沿う方向（前後方向）にわたって押さえ用傾斜面４４ａ、４４ｂに当接するように形成されている。
【００２３】
１つの弾性保持部３２を構成する２つの弾性片３４、３４は、前後方向に間隔をおいて形成されている。これら弾性片３４、３４の距離は、突出部４３の前後方向距離とほぼ等しいかまたは若干大きくされており、弾性片３４、３４間は、光コネクタ４の突出部４３が嵌合する嵌合部３７となっている。
前方側の弾性片３４の前後方向の位置は、光入出端６の前後方向の位置よりも前方であることが好ましい。後方側の弾性片３４の前後方向の位置は、光入出端６の前後方向の位置よりも後方であることが好ましい。
これによって、光接続位置を囲むように光コネクタ４の全体を押さえつけることができ、光コネクタ４に均一な押圧力を加え、光ファイバ５と光入出端６の光接続の精度を高めることができる。
コネクタホルダ３は、金属や合成樹脂などで構成できる。例えば金属板を折り曲げ成形して形成することができる。
【００２４】
次に、光コネクタ４をコネクタホルダ３に装着する操作について説明する。
図１に示すように、装着面４ａを光電変換モジュール２に向けた姿勢で、光コネクタ４をコネクタホルダ３に向けて移動させると、ガイド用傾斜面４５ａ、４５ｂがそれぞれ弾性片３４（ガイド部３４ｃ）に当接する。
光コネクタ４は、４本の弾性片３４に当接するため、その姿勢が水平に維持されつつ装着される。
【００２５】
光コネクタ４に下方への力を加えると、ガイド用傾斜面４５ａ、４５ｂの傾斜面に従って、弾性片３４が外側方に押し広げられる。
押さえ用傾斜面４４ａ、４４ｂとガイド用傾斜面４５ａ、４５ｂの境界部分がコネクタ当接部３６を通過すると、弾性片３４の弾性によってコネクタ当接部３６が押さえ用傾斜面４４ａ、４４ｂに当接する。
図２および図７に示すように、装着面４ａが基部３１に達した状態では、弾性片３４のコネクタ当接部３６が、両側の押さえ用傾斜面４４ａ、４４ｂを押さえつけた状態で光コネクタ４がコネクタ保持空間３５内に収められる。
コネクタ当接部３６は前後方向にわたって押さえ用傾斜面４４ａ、４４ｂに当接するため、弾性片が光コネクタに点接触する場合に比べ、光コネクタ４は安定に保持される。
【００２６】
光コネクタ４の突出部４３は、弾性片３４、３４の隙間である嵌合部３７に嵌合する。弾性片３４、３４の側縁が突出部４３の前端面４３ａおよび後端面４３ｂに当接することによって、前後方向の位置ずれが阻止され、光コネクタ４は正確に位置決めされる。
さらに、光コネクタ４の両側部４１ａの前部および後部においてそれぞれ弾性片３４に押さえ込まれるため、光コネクタ４は安定的に光電変換モジュール２上に保持される。
光コネクタ４がコネクタホルダ３に保持された状態では、反射部４８によって、先端部５ａと光入出端６とが光接続可能となっている（図５を参照）。
【００２７】
次に、光コネクタ４をコネクタホルダ３から外す操作について説明する。
図８に示すように、光コネクタ挿抜工具６０は、一対の腕部６１の基端が連結部（図示略）を介して連結されたピンセット状の工具であり、腕部６１の先端には、相手側の腕部６１に向けてほほ垂直に屈曲した鉤状の係止片６２が形成されている。
連結部（図示略）の弾性力に抗して腕部６１、６１どうしを近づけ、係止片６２を係止凹部４６に挿入する。これによって、光コネクタ４が両側から抱え込まれるように保持される。
図９に示すように、腕部６１を上昇させると、係止片６２によって突出部４３に上方への力が加えられ、光コネクタ４がコネクタホルダ３から引き抜かれる。
また、光コネクタ４をコネクタホルダ３に装着する操作も、腕部６１によって光コネクタ４を保持した状態で行うことができる。
【００２８】
この光コネクタ固定構造によれば、コネクタホルダ３の弾性保持部３２が前後方向に離間した２つの弾性片３４からなり、これら弾性片３４、３４間の嵌合部３７に、光コネクタ４の突出部４３が嵌合するので、前後方向の位置ずれが阻止され、光コネクタ４は正確に位置決めされる。
さらに、光コネクタ４は、両側部４１ａの前部および後部、すなわち合計４カ所で弾性片３４に押さえ込まれるため、安定的に光電変換モジュール２上に保持される。
従って、光コネクタ４を正確に位置決めし、十分な光特性（光損失等）を確保して、光ファイバ５を光入出端６に対して確実に光接続することができる。
また、この光コネクタ固定構造では、ガイド片が挿入される凹所が光コネクタに形成された従来の構造に比べ、光コネクタ４に凹所を形成する必要がないため、光コネクタ４の小型化が可能となる。
【００２９】
なお、図示例では、弾性保持部３２はそれぞれ２つの弾性片３４、３４からなるが、これに限らず、３以上の弾性片で構成してもよい。この場合には、弾性片の隙間のうち１つの嵌合部に突出部が嵌合すればよい。
本発明で用いる光コネクタは表面実装型光コネクタと言うことができ、本発明に係る光コネクタ固定構造とは、この光コネクタを受容して保持する構造自体のことである。例えば、光入出端が固定される光電変換モジュール等の固定部材が無くても（例えばコネクタホルダが固定部材を兼ねる構成）、受発光素子や光ファイバなどの光入出端に表面実装型光コネクタが対峙する構成であれば、本発明に係る光コネクタ固定構造を構成しているということができる。
本発明において、「基板」は、光入出端である光素子が実装される実装対象物全般を指すものであり、図示例では回路基板１と光モジュール２に相当する。
【図面の簡単な説明】
【００３０】
【図１】本発明に係る光コネクタ固定構造の一例を示す分解斜視図である。
【図２】本発明に係る光コネクタ固定構造の一例を示す斜視図である。
【図３】図１に示す光コネクタを示す図であり、（ａ）は平面図、（ｂ）は前面図、（ｃ）は側面図である。
【図４】図１に示す光コネクタを示す断面図である。
【図５】図１に示す光コネクタの要部を示す断面図である。
【図６】図１に示すコネクタホルダを示す図であって（ａ）は平面図、（ｂ）は前面図、（ｃ）は側面図である。
【図７】図１に示す光コネクタ固定構造を示す図であって（ａ）は平面図、（ｂ）は前面図、（ｃ）は側面図である。
【図８】図１に示す光コネクタをコネクタホルダから取り外す操作を示す説明図である。
【図９】図１に示す光コネクタをコネクタホルダから取り外す操作を示す説明図である。
【符号の説明】
【００３１】
１・・・回路基板、２・・・光電変換モジュール、３・・・コネクタホルダ、４・・・光コネクタ、４ａ・・・装着面、５・・・光ファイバ、６・・・光入出端、３２・・・弾性保持部、３４・・・弾性片、３６・・・コネクタ当接部、４３・・・突出部、４４ａ、４４ｂ・・・押さえ用傾斜面、４５ａ、４５ｂ・・・ガイド用傾斜面、４６・・・係止凹部、４８・・・反射部（光軸変換部）、６１・・・腕部、６２・・・係止片。
【図１】
2008292962.tif 000003
【図２】
2008292962.tif 000004
【図３】
2008292962.tif 000005
【図４】
2008292962.tif 000006
【図５】
2008292962.tif 000007
【図６】
2008292962.tif 000008
【図７】
2008292962.tif 000009
【図８】
2008292962.tif 000010
【図９】
2008292962.tif 000011